(57)【要約】【課題】本発明は書類保管箱に関し、重要書類、機密文書、帳票類、医療用の個人カルテ等を保管し、一度保管してしまうと、二重箱の各構成部片の隅角部個所での重ね間隙が覆い隠され、内容物の漏れ出しや外部からの抜き取りが防止され、安全性が高く、荷重や外力に強く構造堅牢である。【解決手段】内容物Ｎが収納される内箱体１と外箱体２とを組み付可能に設けられ、内箱体に開閉可能な内部蓋部片３に外箱体の外部蓋部片４を重合して設け、外部蓋部片の下面と、内部蓋部片の上面との間に造作される重ね間隙Ｋ,Ｋを、内箱体の内部底面板５の左右の外側側面板６,６の上縁に形成した上フラップ７,７を、内部蓋部片３の上面に重合可能に覆い隠す。【選択図】図１
2008273573.tif 000002
【特許請求の範囲】
【請求項１】
天面、底面、左右の両側面、前面および背面の６面のうちの少なくとも一面を除いた他面が二重箱構造をなし、内容物が収納される内箱体、および、該内箱体とを囲む外箱体により組み付可能に設けられ、
前記内箱体の上部に開閉可能に設けた内部蓋部片に前記外箱体の開閉可能な外部蓋部片を重合して設け、
該外部蓋部片を前記内部蓋部片に被閉した時に、前記外部蓋部片の下面と、前記内部蓋部片の上面との間に造作される重ね間隙を、前記内箱体の内部底面板の左右に起立して設けた外側側面板の上縁に幅方向の略全域に折曲自在に形成した上フラップを、前記内部蓋部片の上面に重合可能に折り込んで覆い隠すことを特徴とする書類保管箱。
【請求項２】
前記外箱体の前記外部底面板の左右に、起立させた内側側面板を左右の前記外側側面板の内側面に下方より上方へ交差方向から重合して配挿させ、該内側側面板の上縁に設けた防護下フラップを前記内部蓋部片の上面に折曲して重合されるとともに、前記上フラップが上面から前記防護下フラップを覆って組み付けられることを特徴とする請求項１に記載の書類保管箱。
【請求項３】
前記内箱体と前記外箱体とは、段ボール紙、耐水性の段ボール紙、合成樹脂段ボールの何れかにより形成される第１構成片と、第２構成片と、第３構成片とで構成され、前記第１構成片が、内部前面板と、該内部前面板の上縁の横方向に配した折線を介して折曲可能に設けられた内部蓋部片と、前記内部前面板の下縁の横方向の折線を介して折曲可能に設けられた内部底面板と、前記内部前面板の左右の縦方向の折線を介して対向して折曲可能に設けられた左右の外側側面板と、該外側側面板の解放端縁の折曲可能な縦方向の折線を介して連設された第１ののり代片、および第２ののり代片と、前記外側側面板の上縁の縦方向の折線を介して対向して内側に折曲可能な前記上フラップとで形成され、前記第２構成片が、前記第１ののり代片、および第２ののり代片を左右の内側端面に貼着し、下縁には横方向の折線を介して第３ののり代片が設けられた背板と、該背板の上縁の横方向に配した折線を介して折曲可能な前記外部蓋部片と、該外部蓋部片に横方向の折線を配して折曲可能になり、前記内部前面板の前面上半部に重合可能な外部前面上板とで形成され、前記第３構成片が、前記第３ののり代片が後縁内側に貼着され、横方向の折線を介して前記内部底面板の下面に重合可能に設けられた外部底面板と、該外部底面板の前方に横方向の折線を介して前記内部前面板の前面下半部に折曲可能に重合されるとともに、前記外部前面上板の下端縁に上端縁が衝合可能になる外部前面下板と、前記外部底面板の左右に、縦方向の折線を介して起立可能に設けられた左右の内側側面板とで形成され、前記内箱体は、前記第１ののり代片、および第２ののり代片を介して前記第２構成片の背板に糊着し、前記内部底面板を内方へ折り込んで前記第３構成片の外部底面板の上面に重合して外箱体に組み付けられることを特徴とする請求項１または２に記載の書類保管箱。
【請求項４】
少なくとも左右何れか一方の前記外側側面板、または／および外部蓋部片には、透明な合成樹脂板、または透明フィルムを張設した窓孔が内部を透視可能に設けられ、前記内箱体内に収納する内容物の品名、種類、個数、作成年月日、ファイルナンバー、取り扱い部所、備考等を表示するカードを収納するポケットを前記窓孔の裏面側に設けたことを特徴とする請求項１−３の何れかに記載の書類保管箱。
【請求項５】
前記内部底面板と、前記外部底面板とは、二重底が形成されて段ボール等の目が交差する方向に配列されることを特徴とする請求項１−４の何れかに記載の書類保管箱。
【請求項６】
前記封緘手段が、前記外部前面上板、または前記外部前面下板の何れか一方の他方に対する衝合縁部近傍に取り付けられた雄状突起と、該雄状突起が突出可能に前記外部前面上板、または前記外部前面下板の何れか前記他方の前記一方に対する衝合縁部近傍に取り付けられ、前記雄状突起が突出可能な孔部を設けた雌状部材と、可撓性を有し、前記雄状突起に設けた挿入孔と、後端に装設された係止部の係止孔とに先端側が挿入されて閉ループ状に前記雄状突起に取り付けられるバンド状係止具とを備えたことを特徴とする請求項１−５の何れかに記載の書類保管箱。
【発明の詳細な説明】
【技術分野】
【０００１】
本発明は書類保管箱に関し、例えば重要書類、機密文書、帳票類、医薬品、医療用の個人カルテ、選挙投票済用紙、顧客リスト、通信文書、葉書、切手、印紙、磁気ディスク等を保管し、一度保管してしまうと、二重箱を形成する外箱体の外部蓋部片と、内箱体の内部蓋部片との間に見られる重ね間隙が覆い隠されて、内部からの内容物の漏れ出しや外部からの内容物の抜き取りが防止され、また、開梱されると、その痕跡が残る等、安全性が高く、また、荷重や外力に対して強く構造堅牢であり、重ね積みも可能であり、保管や運搬に適するものである。
【背景技術】
【０００２】
従来、収穫した葡萄を梱包し、運搬、陳列に供する葡萄箱として、外側板としての前面板の左右の両端に折線を境に左右の外側板を連設し、これらの前面板と左右の外側板の上縁にそれぞれ形成される２重折線を境に内側板を連設し、これらの２重折線にて折曲げてコ字形２重側板を形成し、このコ字形２重側板の開口側部に１重側板（背板）を貼着して開口側部を閉鎖し、該１重側板の下縁に折線を境に底板を連設し、上縁に折線を境に蓋板を連設し、該蓋板の大部分を切抜いて額縁状に形成し、該蓋板に合成樹脂透明板を貼着して透明蓋を構成している。そして、蓋板に折線を境に連設した蓋止め片を蓋止め片挿入孔内に係入し、止着するものがあった（例えば特許文献１参照。）。
【特許文献１】実開昭５７−１１７３１８号公報
【発明の開示】
【発明が解決しようとする課題】
【０００３】
上記特許文献１記載の葡萄箱は、収穫した葡萄を梱包し、運搬、陳列に供するものであり、蓋板に形成された額縁状部に貼着した透明蓋を通じて箱内に梱包した葡萄を外部から観察し、コ字形２重側板により側板のクッション性を高め、葡萄箱内に収容した葡萄の損傷を少なくするものであり、コ字形２重側板の上面に被せられる蓋板の下面と、前記コ字形２重側板の上面との間に葡萄箱本体の上部左右端に僅かな重ね間隙が造作されるものであった。従って、無理矢理にもこの重ね間隙から指や手を差し込めないというわけではなかった。しかも、この葡萄箱は、蓋板、および底板が１重で荷重や外力が加わることにより構造的に脆弱であり、変形、歪みを生じ、甚だしい場合には損壊することがあった。さらには、蓋板は大部分を切抜いて額縁状に形成し、該蓋板に合成樹脂透明板を貼着することによりこの合成樹脂透明板を通じて内部を一見して観察することができるようにしたものであり、仮に秘守性を重んずる重要書類、機密文書、帳票類等の書類等の保管を予定するものではなく、馴染まないものであった。
【０００４】
本発明は上記従来の欠点を解決し、二重箱を形成する外箱体の外部蓋部片と、内箱体の内部蓋部片との間に見られる重ね間隙が覆い隠されることにより、内部からの内容物の漏れ出しや外部からの内容物の抜き取りが防止される等防犯性、並びに気密度が高く、また、開梱されると、その痕跡が残る等、安全性が高く、また、荷重や外力に対して強く構造堅牢であり、重ね積みも可能であり、保管や運搬に適し、さらには、製作、および組み付けが容易で製作コストを安価にしようとするものである。
【課題を解決するための手段】
【０００５】
本発明の請求項１に記載の発明は、天面、底面、左右の両側面、前面および背面の６面のうちの少なくとも一面を除いた他面が二重箱構造をなし、内容物が収納される内箱体、および、該内箱体とを囲む外箱体により組み付可能に設けられ、
前記内箱体の上部に開閉可能に設けた内部蓋部片に前記外箱体の開閉可能な外部蓋部片を重合して設け、
該外部蓋部片を前記内部蓋部片に被閉した時に、前記外部蓋部片の下面と、前記内部蓋部片の上面との間に造作される重ね間隙を、前記内箱体の内部底面板の左右に起立して設けた外側側面板の上縁に幅方向の略全域に折曲自在に形成した上フラップを、前記内部蓋部片の上面に重合可能に折り込んで覆い隠すことを特徴とする。
【０００６】
また、本発明の請求項２に記載の発明は、請求項１において、前記外箱体の前記外部底面板の左右に、起立させた内側側面板を左右の前記外側側面板の内側面に下方より上方へ交差方向から重合して配挿させ、該内側側面板の上縁に設けた防護下フラップを前記内部蓋部片の上面に折曲して重合されるとともに、前記上フラップが上面から前記防護下フラップを覆って組み付けられることを特徴とする。
【０００７】
また、本発明の請求項３に記載の発明は、請求項１または２において、前記内箱体と前記外箱体とは、段ボール紙、耐水性の段ボール紙、合成樹脂段ボールの何れかにより形成される第１構成片と、第２構成片と、第３構成片とで構成され、前記第１構成片が、内部前面板と、該内部前面板の上縁の横方向に配した折線を介して折曲可能に設けられた内部蓋部片と、前記内部前面板の下縁の横方向の折線を介して折曲可能に設けられた内部底面板と、前記内部前面板の左右の縦方向の折線を介して対向して折曲可能に設けられた左右の外側側面板と、該外側側面板の解放端縁の折曲可能な縦方向の折線を介して連設された第１ののり代片、および第２ののり代片と、前記外側側面板の上縁の縦方向の折線を介して対向して内側に折曲可能な前記上フラップとで形成され、前記第２構成片が、前記第１ののり代片、および第２ののり代片を左右の内側端面に貼着し、下縁には横方向の折線を介して第３ののり代片が設けられた背板と、該背板の上縁の横方向に配した折線を介して折曲可能な前記外部蓋部片と、該外部蓋部片に横方向の折線を配して折曲可能になり、前記内部前面板の前面上半部に重合可能な外部前面上板とで形成され、前記第３構成片が、前記第３ののり代片が後縁内側に貼着され、横方向の折線を介して前記内部底面板の下面に重合可能に設けられた外部底面板と、該外部底面板の前方に横方向の折線を介して前記内部前面板の前面下半部に折曲可能に重合されるとともに、前記外部前面上板の下端縁に上端縁が衝合可能になる外部前面下板と、前記外部底面板の左右に、縦方向の折線を介して起立可能に設けられた左右の内側側面板とで形成され、前記内箱体は、前記第１ののり代片、および第２ののり代片を介して前記第２構成片の背板に糊着し、前記内部底面板を内方へ折り込んで前記第３構成片の外部底面板の上面に重合して外箱体に組み付けられることを特徴とする。
【０００８】
また、本発明の請求項４に記載の発明は、請求項１−３の何れかにおいて、少なくとも左右何れか一方の前記外側側面板、または／および外部蓋部片には、透明な合成樹脂板、または透明フィルムを張設した窓孔が内部を透視可能に設けられ、前記内箱体内に収納する内容物の品名、種類、個数、作成年月日、ファイルナンバー、取り扱い部所、備考等を表示するカードを収納するポケットを前記窓孔の裏面側に設けたことを特徴とする。
【０００９】
また、本発明の請求項５に記載の発明は、請求項１−４の何れかにおいて、前記内部底面板と、前記外部底面板とは、二重底が形成されて段ボール等の目が交差する方向に配列されることを特徴とする。
【００１０】
また、本発明の請求項６に記載の発明は、請求項１−５の何れかに前記封緘手段が、前記外部前面上板、または前記外部前面下板の何れか一方の他方に対する衝合縁部近傍に取り付けられた雄状突起と、該雄状突起が突出可能に前記外部前面上板、または前記外部前面下板の何れか前記他方の前記一方に対する衝合縁部近傍に取り付けられ、前記雄状突起が突出可能な孔部を設けた雌状部材と、可撓性を有し、前記雄状突起に設けた挿入孔と、後端に装設された係止部の係止孔とに先端側が挿入されて閉ループ状に前記雄状突起に取り付けられるバンド状係止具とを備えたことを特徴とする。
【発明の効果】
【００１１】
本発明の請求項１に記載の発明によれば、天面、底面、左右の両側面、前面および背面の６面のうちの少なくとも一面を除いた他面が二重箱構造をなし、内容物が収納される内箱体、および、該内箱体とを囲む外箱体により組み付可能に設けられ、前記内箱体の上部に開閉可能に設けた内部蓋部片に前記外箱体の開閉可能な外部蓋部片を重合して設け、該外部蓋部片を前記内部蓋部片に被閉した時に、前記外部蓋部片の下面と、前記内部蓋部片の上面との間に造作される重ね間隙を、前記内箱体の内部底面板の左右に起立して設けた外側側面板の上縁に幅方向の略全域に折曲自在に形成した上フラップを、前記内部蓋部片の上面に重合可能に折り込んで覆い隠すことを特徴とするので、二重箱を形成する外箱体の外部蓋部片と、内箱体の内部蓋部片との間に見られる重ね間隙を外側側面板の上方に設けた上フラップにて覆うことにより内部からの内容物の漏れ出しや外部からの内容物の抜き取りが防止される等防犯性、並びに気密度が高く、また、開梱されると、その痕跡が残る等、安全性が高く、また、荷重や外力に対して強く構造堅牢であり、重ね積みも可能であり、保管や運搬に適し、さらには、製作、および組み付けが容易で製作コストを安価になる。
【００１２】
また、本発明の請求項２に記載の発明によれば、前記外箱体の前記外部底面板の左右に、起立させた内側側面板を左右の前記外側側面板の内側面に下方より上方へ交差方向から重合して配挿させ、該内側側面板の上縁に設けた防護下フラップを前記内部蓋部片の上面に折曲して重合されるとともに、前記上フラップが上面から前記防護下フラップを覆って組み付けられることを特徴とするので、二重箱を形成する外箱体の外部蓋部片と、内箱体の内部蓋部片との間に見られる重ね間隙が内部蓋部片の上面を覆う内側側面板の上縁の防護下フラップと、外側側面板の上方に設けた上フラップとの二重の覆いにより内部からの内容物の漏れ出しや外部からの内容物の抜き取りが確実に防止される等、防犯性、並びに気密度が高くなる。
【００１３】
また、本発明の請求項３に記載の発明によれば、前記内箱体と前記外箱体とは、段ボール紙、耐水性の段ボール紙、合成樹脂段ボールの何れかにより形成される第１構成片と、第２構成片と、第３構成片とで構成され、前記第１構成片が、内部前面板と、該内部前面板の上縁の横方向に配した折線を介して折曲可能に設けられた内部蓋部片と、前記内部前面板の下縁の横方向の折線を介して折曲可能に設けられた内部底面板と、前記内部前面板の左右の縦方向の折線を介して対向して折曲可能に設けられた左右の外側側面板と、該外側側面板の解放端縁の折曲可能な縦方向の折線を介して連設された第１ののり代片、および第２ののり代片と、前記外側側面板の上縁の縦方向の折線を介して対向して内側に折曲可能な前記上フラップとで形成され、前記第２構成片が、前記第１ののり代片、および第２ののり代片を左右の内側端面に貼着し、下縁には横方向の折線を介して第３ののり代片が設けられた背板と、該背板の上縁の横方向に配した折線を介して折曲可能な前記外部蓋部片と、該外部蓋部片に横方向の折線を配して折曲可能になり、前記内部前面板の前面上半部に重合可能な外部前面上板とで形成され、前記第３構成片が、前記第３ののり代片が後縁内側に貼着され、横方向の折線を介して前記内部底面板の下面に重合可能に設けられた外部底面板と、該外部底面板の前方に横方向の折線を介して前記内部前面板の前面下半部に折曲可能に重合されるとともに、前記外部前面上板の下端縁に上端縁が衝合可能になる外部前面下板と、前記外部底面板の左右に、縦方向の折線を介して起立可能に設けられた左右の内側側面板とで形成され、前記内箱体は、前記第１ののり代片、および第２ののり代片を介して前記第２構成片の背板に糊着し、前記内部底面板を内方へ折り込んで前記第３構成片の外部底面板の上面に重合して外箱体に組み付けられることを特徴とするので、外箱体と内箱体とによる二重箱により、内部からの内容物の漏れ出しや外部からの内容物の抜き取りが防止される等防犯性、並びに気密度を高くすることができるとともに、開梱されると、その痕跡が残る等、安全性が高くなる。また、書類保管箱自体、内箱体と、該内箱体を囲む外箱体とよりなる二重箱構造に形成され、そして、天面は内箱体の内部蓋部片と、外箱体の外部蓋部片との二重構造に形成され、また、底面は内箱体の内部底面板と、外箱体の外部底面板との二重構造に形成され、また、左右の両側は外箱体の外部底面板の左右に、起立させた内側側面板を内箱体の左右の外側側面板の内側面に下方から上方へ交差方向から重合して配挿させた二重構造に形成されるため、荷重や外力に対して強く構造堅牢であり、重ね積みも可能であり、保管や運搬に適する。さらに、１枚のシートから組み合わして裁断される第１構成片、第２構成片、第３構成片により前記内箱体と、前記外箱体とは形成され、糊着け個所は少なくとも３個所にて容易かつ確実に製作、および組み付けが行え、製作コストを安価になる。
【００１４】
また、本発明の請求項４に記載の発明によれば、少なくとも左右何れか一方の前記外側側面板、または／および外部蓋部片には、透明な合成樹脂板、または透明フィルムを張設した窓孔を内部を透視可能に設け、前記内箱体内に収納する内容物の品名、種類、個数、作成年月日、ファイルナンバー、取り扱い部所、備考等を表示するカードを収納するポケットを前記窓孔の裏面側に設けたことを特徴とするので、カードに表示されている内容物の品名、種類、個数、作成年月日、ファイルナンバー、取り扱い部所、備考等に記載されている表示内容は外側側面板に設けた窓孔に張設された透明な合成樹脂板、または透明フィルムを通じて外部から目視することができる。また、外箱体の外部底面板の左右に、起立させた内側側面板を内箱体の左右の外側側面板の内側面に下方より上方へ交差方向から重合して配挿させることにより、内側側面板の上縁に設けた防護下フラップを内部蓋部片の上面に折曲して重合されるとともに、内箱体の左右に設けた左右の外側側面板の上縁に設けられた上フラップが上面から前記防護下フラップを覆い、外部前面上板、および外部前面下板を封緘手段により封緘させて組み付けられるため、二重箱を形成する外箱体の外部蓋部片と、内箱体の内部蓋部片との間に見られる重ね間隙が覆い隠され、気密性が高まり、内容物を梱包した後は、外部からカードを抜き取ったり、表示内容が変更するのが防止され、防犯性、並びに安全性は高まる。
【００１５】
また、本発明の請求項５に記載の発明によれば、前記内部底面板と、前記外部底面板とは、二重底が形成されて段ボール等の目が交差する方向に配列されることを特徴とするので、内箱体の内部底面板と、外箱体の外部底面板とで二重底が形成され、しかも段ボール等の目が交差する方向に配列されるため、荷重に耐え、外力が加わっても構造堅牢になる。
【００１６】
また、本発明の請求項６に記載の発明によれば、前記封緘手段が、前記外部前面上板、または前記外部前面下板の何れか一方の他方に対する衝合縁部近傍に取り付けられた雄状突起と、該雄状突起が突出可能に前記外部前面上板、または前記外部前面下板の何れか前記他方の前記一方に対する衝合縁部近傍に取り付けられ、前記雄状突起が突出可能な孔部を設けた雌状部材と、可撓性を有し、前記雄状突起に設けた挿入孔と、後端に装設された係止部の係止孔とに先端側が挿入されて閉ループ状に前記雄状突起に取り付けられるバンド状係止具とを備えたことを特徴とするので、外箱体に囲まれる内箱体内に内容物を収納した後には、外部前面上板と、外部前面下板とを閉じて衝合縁相互を衝き合わせ、外部前面上板、または前記外部前面下板の何れか一方の他方に対する衝合縁部近傍に取り付けられた雄状突起を、外部前面上板、または外部前面下板の何れか他方の衝合縁部近傍に取り付けられた雌状部材の孔部から突出され、雄状突起に設けた挿入孔と、後端に装設された係止部の係止孔とに可撓性を有するバンド状係止具の先端側を挿入すると、バンド状係止具は前記係止具に挿入され閉ループ状に維持される。従って、内箱体内に内容物を収納後に封緘手段を封緘してしまうと、この封緘手段を開封しない限り内容物を取り出すことができない。そして、開封の痕跡が明瞭に残り、防犯性は高まり、安全である。
【発明を実施するための最良の形態】
【００１７】
以下、図面に従って本発明の実施の最良の形態により、本発明の詳細を説明する。
【００１８】
図１は本発明の書類保管箱の実施形態を示す斜視図、図２は同じく分解斜視図、図３は同じく断面図、図４は同じく本実施形態の書類保管箱の第１構成片を示す展開図、図５は同じく本実施形態の書類保管箱の第２構成片を示す展開図、図６は同じく本実施形態の書類保管箱の第３構成片を示す展開図、図７は同じく本実施形態の書類保管箱の第１構成片、および第２構成片を段ボール紙等のシートから打ち抜き成型する場合の配置の一例を示す展開図、図８は同じく本実施形態の書類保管箱の第３構成片を段ボール紙等のシートから打ち抜き成型する場合の配置の一例を示す展開図である。
【００１９】
本実施形態は、天面、底面、左右の両側面、前面および背面の６面のうちの少なくとも一面、図示する実施形態では背面を除いた他面が二重箱構造をなし、内容物Ｎが収納される内箱体１、および、該内箱体１を囲む外箱体２とにより組み付可能に設けられ、前記内箱体１の上部に開閉可能に設けた内部蓋部片３に前記外箱体１の開閉可能な外部蓋部片４を重合して設け、該外部蓋部片４を前記内部蓋部片３に被閉した時に、前記外部蓋部片４の下面と、前記内部蓋部片３の上面との間に造作される重ね間隙Ｋ,Ｋを、前記内箱体１の内部底面板５の左右に起立して設けた外側側面板６,６の上縁に幅方向の略全域に折曲自在に形成した上フラップ７,７を、前記内部蓋部片３の上面に重合可能に折り込んで覆い隠すことを特徴とする。
【００２０】
また、前記内箱体１と、前記外箱体２とは段ボール紙、耐水性の段ボール紙、合成樹脂段ボールの何れか、本実施形態では段ボール紙により形成される第１構成片Ａと、第２構成片Ｂと、第３構成片Ｃとで構成される。
【００２１】
そして、前記第１構成片Ａが、内部前面板８と、該内部前面板８の上縁に横方向に配した折線ｎ１を介して折曲可能に設けられた内部蓋部片３と、前記内部前面板８の下縁に横方向に配した折線ｎ２を介して折曲可能に設けられた内部底面板５と、前記内部前面板８の左右に縦方向に配した折線ｎ３を介して対向して折曲可能に設けられる左右の外側側面板６,６と、該外側側面板６,６の解放端縁に折曲可能に縦方向に設けられた折線n４を介して連設される第１ののり代片９Ａ、および第２ののり代片９Ｂと、前記外側側面板６の上縁に縦方向に配した折線ｎ５を介して対向して内側に折曲可能に設けられた上フラップ７とで形成される。
【００２２】
前記第２構成片Ｂが、前記第１ののり代片９Ａ、および第２ののり代片９Ｂを左右の内側端面に貼着し、下縁には横方向に配した折線ｎ６を介して第３ののり代片９Ｃが設けられた背板１０と、該背板１０の上縁に横方向に配した折線ｎ６′を介して折曲可能に設けられた前記外部蓋部片４と、該外部蓋部片４に横方向に配した折線n７を配して折曲可能になり、前記内部前面板８の前面上半部に重合可能に設けられた外部前面上板１１とで形成される。
【００２３】
前記第３構成片Ｃが、前記第３ののり代片９Ｃが後縁内側に貼着され、前記内部底面板５の下面に重合可能に設けられる外部底面板１２と、該外部底面板１２の前方に横方向に配した折線ｎ８を介して前記内部前面板８の前面下半部に折曲可能に重合されるとともに、前記外部前面上板１１の下端縁１１ａに上端縁１３ａが衝合可能になる外部前面下板１３と、前記外部底面板１２の左右に、縦方向に配した折線ｎ９,ｎ９を介して起立可能に設けられた左右の内側側面板１４,１４と、該内側側面板１４,１４の上縁に折線ｎ１０,ｎ１０を介して折曲可能に設けられた防護下フラップ１５,１５とにより形成される。
【００２４】
そして、前記内箱体１は、前記第１ののり代片９Ａ、および第２ののり代片９Ｂを介して前記第２構成片Ｂの背板１０に糊着し、前記内部底面板５を内方へ折り込んで前記第３構成片Ｃの外部底面板１２の上面に重合して組み付けられる。また、前記外箱体２は、前記外部底面板１２の左右に、折線９,９を介して起立させた前記内側側面板１４,１４を第１構成片Ａの左右の前記外側側面板６,６の内側面に下方より上方へ交差方向から重合して配挿させ、該内側側面板１４,１４の上縁に折線ｎ１０,ｎ１０を介して折曲可能に設けた防護下フラップ１５,１５を前記内部蓋部片3の上面に折曲して重合されるとともに、前記上フラップ７,７が上面から前記防護下フラップ１５,１５を覆い、前記外部前面上板１１、および前記外部前面下板１３を封緘手段１６により封緘させて組み付けられる。
【００２５】
また、前記内部底面板５と、前記外部底面板１２とは、組付け時には二重底が形成されて段ボール等の目が交差する方向に配列される。このように、内箱体１の前記内部底面板５と、外箱体２の前記外部底面板１２とにより二重底が形成され、しかも内部底面板５と、前記外部底面板１２とは、段ボール等の目が交差する方向に配列されるため、書類保管箱は、荷重が加わっても撓みや変形を生ずることなく耐え、外力が加わっても構造堅牢になる。
【００２６】
前記内容物Ｎは、例えば重要書類、機密文書、帳票類、医薬品、医療用の個人カルテ、選挙投票済用紙、顧客リスト、通信文書、葉書、切手、印紙、磁気ディスク等が挙げられる。
【００２７】
図３において１７は内容物Ｎの品名、種類、個数、作成年月日、ファイルナンバー、取り扱い部所、備考等の所要事項を表示するカードであり、このカード１７は少なくとも左右何れか一方の前記外側側面板６に、透明な合成樹脂板１８、または透明フィルムを張設した窓孔１９の内部を透視可能に設け、該窓孔１９の裏面側に設けたポケットＰ内に収納される。
【００２８】
また、前記封緘手段１６が、前記外部前面上板１１、または前記外部前面下板１３の何れか一方の他方に対する衝合縁部近傍、本実施形態では外部前面上板１１の下端縁１１ａの近傍に取り付けられた雄状突起２０と、該雄状突起２０が突出可能に前記外部前面上板１１、または前記外部前面下板１３の何れか前記他方の前記一方に対する衝合縁部近傍、本実施形態では外部前面下板１３の上端縁１３ａに取り付けられ、前記雄状突起２０が突出可能な孔部２１ａを設けた雌状部材２１と、可撓性を有する合成樹脂弾性可塑物により形成され、前記雄状突起２０の厚み方向Ｔに設けた挿入孔２０ａ、および後端に装設された略筒状乃至は箱状の係止部２２ａの係止孔２２ｂ内に先端側が挿入されて閉ループ状に前記雄状突起２０に取り付けられるバンド状係止具２２とを備えている。
【００２９】
本実施形態の書類保管箱は以上の構成からなり、天面、底面、左右の両側面、前面および背面の６面のうちの少なくとも一面、図示する実施形態では背面を除いた他面が二重箱構造をなし、内容物Ｎが収納される内箱体１、および、該内箱体１を囲む外箱体２とにより形成され、内箱体１と、外箱体２とは段ボール紙、耐水性の段ボール紙、合成樹脂段ボールの何れか、本実施形態では段ボール紙により形成される第１構成片Ａと、第２構成片Ｂと、第３構成片Ｃとで構成される。
【００３０】
そして、本実施形態の書類保管箱を組み付けるのには、内部前面板８の左右に縦方向に配した折線ｎ３を介して対向して折曲可能に設けられる左右の外側側面板６,６と、該外側側面板６,６の解放端縁に折曲可能に縦方向に設けられた折線n４を介して連設される第１ののり代片９Ａ、および第２ののり代片９Ｂを第２構成片Ｂの背板１０の左右の内側端面に貼着する。それから、第２構成片Ｂの背板１０の下縁に折線ｎ６を配して設けられた第３ののり代９Ｃを第３構成片Ｃの外部底面板１２の解放端側の一縁（後端）に糊着することにより組み付けが完了し、図に示すように、コンパクトに折り畳まれ、保管、携行に便利になる。
【００３１】
それから、内容物Ｎを収納し、保管するために、書類保管箱を組み上げるのには、第１構成片Ａの内部底面板５を折線ｎ２を介して折曲し、この内部底面板５の下側に第３構成片Ｃの外部底面板１２を重合し、書類保管箱の底面を二重構造にする。
【００３２】
次いで、外部底面板１２の左右に、折線ｎ９,ｎ９を介して起立させた１対の内側側面板１４,１４を、第１構成片Ａの左右の前記外側側面板６,６の内側面に下方より上方へ交差方向から重合して配挿させ、左右の側面を二重構造にする。
【００３３】
このようにして、組み上げられる書類保管箱の内箱体１内に、例えば重要書類、機密文書、帳票類、医薬品、医療用の個人カルテ、選挙投票済用紙、顧客リスト、通信文書、葉書、切手、印紙、磁気ディスク等の内容物Ｎを収納する。
【００３４】
それから、第１構成片Ａの内側側面板１４,１４の上縁に設けた防護下フラップ１５,１５を折線ｎ１０,１０を介して内方へ折り曲げられた内部蓋部片３の上面に折曲して重合させるとともに、第１構成片Ａの左右の外側側面板６,６の上縁に折線ｎ５,ｎ５を介して内方へ上フラップ７,７を上面から折り込むことにより前記防護下フラップ１５,１５を覆い隠す。
【００３５】
さらに、外部前面上板１１と、外部前面下板１３とを上下方向に閉じて外部前面上板１１の下端縁１１ａと、外部前面下板１３の上端縁１３ａとの衝合縁相互を衝き合わせる。そして、外部前面上板１１、または前記外部前面下板１３の何れか一方の他方に対する衝合縁部近傍に取り付けられた雄状突起２０を、外部前面上板１１、または外部前面下板１３の何れか他方の衝合縁部近傍に取り付けられた雌状部材２１の孔部２１ａから突出させ、可撓性を有する合成樹脂弾性可塑物により形成され、雄状突起２０の厚み方向Ｔに設けた挿入孔２０ａ、およびその後端に装設された係止部２２ａの係止孔２２ｂ内に合成樹脂弾性可塑物により形成され、可撓性を有するバンド状係止具２２の先端側を挿入することにより、バンド状係止具２２を閉ループ状に維持して封緘を行う。こうして、内箱体１、および外箱体２内に内容物Ｎを収納後に前述のように封緘手段１６を封緘してしまうと、この封緘手段１６を開封しない限り内容物Ｎを取り出すことができない。この場合、開封の痕跡が明瞭に残り、防犯性は高まり、安全な書類保管箱になる。
【００３６】
上記のように、天面、底面、左右の両側面、前面および背面の６面のうちの少なくとも一面、図示する実施形態では背面を除いた他面が二重箱構造をなし、内容物Ｎが収納された内箱体１と、該内箱体１を囲む外箱体２の６面を構成する各構成部片の隅角部個所、すなわち、書類保管箱の底面は内箱体１の内部前面板８、および内側側面板１４,１４、背板１０により周囲を閉鎖された内部底面板５と、外箱体２の外部底面板１２とが重合されて二重底になり、また、書類保管箱の左右の側面は内箱体１の外側側面板６,６と、外箱体２の内側側面板１４,１４とにより二重構造になり、さらには内箱体１に対して内容物Ｎを出し入れするための天面においては、外箱体２の外部蓋部片４を内箱体１の内部蓋部片３に被閉した時に、内箱体１の内部蓋部片３と、外箱体２の外部蓋部片４とにより二重天面構造になるとともに、内箱体1の内部底面板５の左右に起立して設けた前記外側側面板６,６の上縁に幅方向の略全域に折曲自在に形成した上フラップ７,７を、内部蓋部片３の上面に重合可能に折り込んで前記外部蓋部片４の下面と、前記内部蓋部片３の上面との間に造作される重ね間隙Ｋ,Ｋを覆い隠すのと、外側側面板６,６の内側に配挿されている外箱体２の内側側面板１４,１４の上縁に折線ｎ１０,ｎ１０を介して内部蓋部片３の上面に折り重ねられている防護下フラップ１５,１５とにより二重、三重に重ね間隙Ｋ,Ｋが覆い隠されるため、内箱体１内に収納した内容物Ｎの漏れ出しや外部からの内容物Ｎの抜き取りが防止される等、防犯性、並びに機密度が高くなる。
【００３７】
また、前述のように、本実施形態では、書類保管箱の底面は内箱体１の内部底面板５と、外箱体２の外部底面板１２とが重合されて二重底になり、また、左右の側面は内箱体１の外側側面板６,６と、外箱体２の内側側面板１４,１４とにより二重構造になり、さらには内箱体１に対して内容物Ｎを出し入れするための天面においては、外箱体２の外部蓋部片４を内箱体１の内部蓋部片３に被閉した時に、内箱体１の内部蓋部片３と、外箱体２の外部蓋部片４とが重合されて二重天面構造になるので、内箱体１内に収納される内容物Ｎの荷重が加わったり、加わる外力に対して剛性が高くなって構造堅牢に強くなり、重ね積みも可能になり、保管や運搬に適する。
【００３８】
この際、二重底を形成する前記内部底面板５と、前記外部底面板１２とは、段ボール等の目が交差する方向に配列されるので、書類保管箱は、さらに剛性が高くなって荷重に耐え、外力が加わっても構造堅牢になる。
【００３９】
また、本実施形態の書類保管箱は、少なくとも左右何れか一方の外側側面板６に、透明な合成樹脂板１８、または透明フィルムを張設した窓孔１９を通じて内部を透視可能に設け、該窓孔１９の裏面側に設けたポケットＰ内に、内容物Ｎの品名、種類、個数、作成年月日、ファイルナンバー、取り扱い部所、備考等が記載されているカード１７が収納されているので、このカード１７に表示されている表示内容を窓孔１９に張設された透明な合成樹脂板、または透明フィルムを通じて外部から目視することができる。そして、このカード１７は、前述のように外箱体２の外部底面板１２の左右に、起立させた内側側面板１４,１４を内箱体１の左右の外側側面板６の内側面に下方より上方へ交差方向から重合して配挿させることにより、内側側面板１４,１４の上縁に設けた防護下フラップ１５,１５を内部蓋部片3の上面に折曲して重合されるとともに、内箱体1の左右に設けた左右の外側側面板６,６の上縁に設けられた上フラップ７,７が上面から前記防護下フラップ１５,１５を覆い、外部前面上板１１、および外部前面下板１３を封緘手段１６により封緘させて組み付けられるため、二重箱を形成する外箱体２の６面を構成する各構成部片の隅角部個所に見られる間隙、唯一間隙を生ずる余地のある外部蓋部片４の下面と、内部蓋部片３の上面との間に造作される重ね間隙Ｋ,Ｋが覆い隠され、書類保管箱の気密性が高まる。従って、内容物Ｎを内箱体１内に梱包した後は、書類保管外部からカード１７を抜き取ったり、カード１７に表示された表示内容を変更するのが防止され、防犯性、並びに安全性は高まる。
【００４０】
さらに、本実施形態の書類保管箱では、内箱体１、および外箱体２を形成する第１構成片Ａ、および第２構成片Ｂと、第３構成片Ｃとは、１枚の大きさ、例えば図７，および図８に示すような段ボール紙よりなる打抜き成型に要する成型機の切刃から外周に向かって数ｃｍの余裕をもって打ち抜きされる大きさのシートＳ１,Ｓ２から所用の適正な大きさの第１構成片Ａ,第２構成片Ｂ,第３構成片Ｃを裁断することにより残余部分としての打ち抜き代を極力少なくして無駄を省き、効率的な設計を行い、しかも、糊着け個所は第１のり代片９Ａ、第２のり代片９Ｂ、第３のり代片９Ｃの３個所にて行われるため、容易かつ確実に製作、および組み付けが行え、作業能率は向上され、製作コストは安価になる。
【００４１】
しかしながら、上記書類保管箱は、内箱体１、および外箱体２を形成する第１構成片Ａ、および第２構成片Ｂと、第３構成片Ｃとは、シートＳ１,Ｓ２から裁断するようにしているが、第１構成片Ａ、第２構成片Ｂ、第３構成片Ｃは、図には示さないが個別のシ−トを用いてそれぞれ裁断され、製作されてもよい。また上記実施形態では、第１構成片Ａ、第２構成片Ｂ、第３構成片Ｃを個別に形成することにより、第１構成片Ａ、第２構成片Ｂ、第３構成片Ｃを組み付けて内箱体１、および外箱体２を組み付けて製作するようにしているが、第１構成片Ａ、第２構成片Ｂ、第３構成片Ｃは任意の組み合わせ、のり代片を省くことによって一体に形成されることにより製作される場合も本発明の範囲である。
【００４２】
また上記説明は、書類保管箱の、内箱体１、および外箱体２を形成する第１構成片Ａ、第２構成片Ｂ、第３構成片Ｃとは、段ボール紙により製作する場合を代表的に説明したが、用材はこれに限ることなく、耐水性の段ボール紙、合成樹脂段ボールにより形成した場合も本発明の適用範囲である。
【００４３】
また、図示する上記説明では、封緘手段１６が、前記外部前面上板１１、または前記外部前面下板１３の何れか一方の他方に対する衝合縁部近傍、例えば外部前面上板１１の下端縁１１ａの近傍に取り付けられた雄状突起２０と、該雄状突起２０が突出可能に前記外部前面上板１１、または前記外部前面下板１３の何れか前記他方の前記一方に対する衝合縁部近傍、例えば外部前面下板１３の上端縁１３ａに取り付けられ、前記雄状突起２０を雌状部材２１の孔部２１ａから突出させ、さらに、この雄状突起２０の厚み方向Ｔに設けた挿入孔２０ａ内にバンド状係止具２２を挿入し、該バンド状係止具２２の先端側をバンド状係止具２２の後端に装設された略筒状乃至は箱状の係止部２２ａの係止孔２２ｂ内に挿入させて閉ループ状に前記雄状突起２０に取り付けられるバンド状係止具２２とにより形成される場合を代表的に説明しているが、これは例示であり、封緘手段１６はこれに限定する意味ではなく、例えば結束紐や、熱可塑性の合成樹脂製の紐やバンドを熱溶着したり、高周波溶着する等したものも好適なものが用いられる。
【００４４】
さらに、また、図示する上記書類保管箱では、天面、底面、左右の両側面、前面および背面の６面のうちの少なくとも一面、図示する実施形態では背面を除いた他面が内箱体１と、外箱体２とよりなる二重箱構造をなしているが、これは代表的説明であり、本発明の書類保管箱はこれに限ることなく、天面、底面、左右の両側面、前面および背面の６面の全面を内箱体と外箱体とよりなる二重箱に形成する等の設計変更は自由に行える。
【００４５】
なお、図示する上記実施形態では、内箱体１内に収納する内容物を表示するカード１７を透視するための窓孔１９を外側側面板６の一方に設けてこの窓孔に透明な合成樹脂板１８や透明フィルム等を張設しているが、これに限ることなくカード１７の内容を透視する窓孔１９や透明な合成樹脂板は外側側面板６、または／および外部蓋部片４に設けられるとともに外部蓋部片４の裏面にカードを収納するためのポケットＰを設けてもよい。
【産業上の利用可能性】
【００４６】
本発明は二重箱を形成する外箱体の外部蓋部片の下面と、内部蓋部片の上面との間に造作される重ね間隙が覆い隠されることにより、内部からの内容物の漏れ出しや外部からの内容物の抜き取りが防止され、防犯性、並びに気密度が高く、また、開梱されると、その痕跡が残る等、安全性が高く、また、荷重や外力に対して強く構造堅牢であり、重ね積みも可能であり、保管や運搬に適し、さらには、製作、および組み付けが容易で製作コストを安価な用途・機能に適する。
【図面の簡単な説明】
【００４７】
【図１】図１は本発明の書類保管箱の実施形態を示す斜視図である。
【図２】図２は同じく分解斜視図である。
【図３】図３は同じく断面図である。
【図４】図４は同じく本実施形態の書類保管箱の第１構成片を示す展開図である。
【図５】図５は同じく本実施形態の書類保管箱の第２構成片を示す展開図である。
【図６】図６は同じく本実施形態の書類保管箱の第３構成片を示す展開図である。
【図７】図７は同じく本実施形態の書類保管箱の第１構成片、および第２構成片を段ボール紙等のシートから打ち抜き成型する場合の配置の一例を示す展開図である。
【図８】図８は同じく本実施形態の書類保管箱の第３構成片を段ボール紙等のシートから打ち抜き成型する場合の配置の一例を示す展開図である。
【符号の説明】
【００４８】
１      内箱体
２      外箱体
３      内部蓋部片
４      外部蓋部片
５      内部底面板
６      外側側面板
７      上フラップ      
８      内部前面板
９Ａ    第１ののり代片  
９Ｂ    第２ののり代片
９Ｃ    第３ののり代片
１０    背板
１１    外部前面上板
１２    外部底面板
１３    外部前面下板
１４    内側側面板
１５    防護下フラップ
１６    封緘手段
Ａ      第１構成片
Ｂ      第２構成片
Ｃ      第３構成片
Ｋ      重ね間隙
Ｎ      内容物
【図１】
2008273573.tif 000003
【図２】
2008273573.tif 000004
【図３】
2008273573.tif 000005
【図４】
2008273573.tif 000006
【図５】
2008273573.tif 000007
【図６】
2008273573.tif 000008
【図７】
2008273573.tif 000009
【図８】
2008273573.tif 000010